【事件の表示】
　特許第６２７２７２７号発明「媒体ガイダンスインターフェイスを有する双方向媒体ガイド」の特許異議申立事件について、次のとおり決定する。
【結　論】
　特許第６２７２７２７号の特許請求の範囲を訂正請求書に添付された訂正特許請求の範囲のとおり、訂正後の請求項〔１−５〕、〔６−１０〕について訂正することを認める。
　特許第６２７２７２７号の請求項１ないし１０に係る特許を維持する。
【理　由】
第１　手続の経緯
　特許第６２７２７２７号の請求項１〜１０に係る特許についての出願は、２００１年（平成１３年）４月１０日（パリ条約による優先権主張外国庁受理２０００年４月１０日、米国、２０００年５月５日、米国）を国際出願日とする特願２００１−５７５７１０号の一部を数次の分割を経て平成２６年４月２５日に新たな特許出願としたものであって、平成３０年１月１２日にその特許権の設定登録がされ、その後、その特許について、特許異議申立人松田純一により特許異議の申立てがされ、平成３０年１０月３１日付けで取消理由が通知され、平成３１年２月４日に意見書の提出及び訂正の請求があり、その訂正の請求に対して特許異議申立人松田純一から平成３１年３月２７日付けで意見書が提出されたものである。
　　
第２　訂正の適否についての判断
１　訂正の内容
　本件訂正請求による訂正の内容は以下の（１）、（２）のとおりである。
　　
（１）請求項１〜５に係る訂正
　特許請求の範囲の請求項１において、「前記１以上のメディアグループオプションの中の１つのグループオプションに関連付けられている１つのグループの中にメディアを含める基準は、予め定義されている」とあるのを「前記１以上のメディアグループオプションの中の１つのグループオプションに関連付けられている１つのグループの中にメディアを含める基準は、
ユーザによって定義されたサーチクエリと、前記ユーザによって定義されたサーチクエリの結果が表示される１つ以上のグループのユーザ選択とに基づいて
　当該訂正を以下「訂正事項１」という。
　　
（２）請求項６〜１０に係る訂正
ア　訂正事項２
　特許請求の範囲の請求項６において、「前記１以上のメディアグループオプションの中の１つのグループオプションに関連付けられている１つのグループの中にメディアを含める基準は、予め定義されている」とあるのを「前記１以上のメディアグループオプションの中の１つのグループオプションに関連付けられている１つのグループの中にメディアを含める基準は、
ユーザによって定義されたサーチクエリと、前記ユーザによって定義されたサーチクエリの結果が表示される１つ以上のグループのユーザ選択とに基づいて
　当該訂正を以下「訂正事項２」という。
　　
２　訂正の目的の適否、一群の請求項、新規事項の有無、及び特許請求の範囲の拡張・変更の存否
（１）請求項１〜５に係る訂正
ア　訂正の目的について
　訂正事項１は、訂正前の請求項１の「１つのグループの中にメディアを含める基準は、予め定義されている」における「予め定義されている」を「
ユーザによって定義されたサーチクエリと、前記ユーザによって定義されたサーチクエリの結果が表示される１つ以上のグループのユーザ選択とに基づいて
　したがって、訂正事項１は、特許法第１２０条の５第２項ただし書第１号に規定する特許請求の範囲の減縮を目的とするものである。
　同様に、訂正後の請求項２〜５は、訂正後の請求項１の記載を引用することにより、訂正後の請求項２〜５に係る発明をより具体的に特定し、更に限定するものであるため、特許法第１２０条の５第２項ただし書第１号に規定する特許請求の範囲の減縮を目的とするものである。
　　
イ　実質上特許請求の範囲を拡張し、又は変更する訂正ではないこと
　上記アのとおり、訂正事項１は、発明特定事項を限定的に減縮するものであり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　訂正事項１は、訂正前の請求項１の記載を直接的又は間接的に引用する訂正前の請求項２〜５の記載についても実質的に訂正するものであるが、上記アのとおり、訂正後の請求項１の記載は、訂正前の請求項１との関係で特許請求の範囲を実質的に拡張し、又は変更するものではない。
　また、訂正事項１は、訂正前の請求項１の記載以外に、訂正前の請求項２〜５の記載について何ら訂正するものではなく、訂正後の請求項２〜５に係る発明のカテゴリーや対象、目的を変更するものではない。
　したがって、訂正事項１は、訂正前の請求項２〜５との関係で、実質上特許請求の範囲を拡張し、又は変更する訂正ではなく、特許法第１２０条の５第９項で準用する特許法第１２６条第６項の規定に適合するものである。
　　
ウ　願書に添付した明細書、特許請求の範囲又は図面に記載した事項の範囲内の訂正であること
　願書に添付した明細書の段落【００６０】には、
「いくつかの実施形態では、ユーザに媒体ガイドメニュー画面を動的に作成する機会が与えられ得る。図８ｂでは、ユーザにより規定され、かつユーザに双方向媒体ガイドにより保存された１つ以上のサーチ８３０を入力する機会がユーザに与えられ得る。ユーザはまた、選択されたサーチの結果が表示され得る１つ以上の群８５０を選択し得る。適切なチェックボックス８３５を選択することでサーチを入力するという要望を示すと、ユーザにはサーチストリングを名付ける（例えば、「Ｒｉｃｈのお気に入り」）機会が与えられる。ユーザにはまた、サーチストリングを入力する機会が与えられ得る。サーチストリングはブーリアンサーチストリング、自然言語サーチストリング、または任意の他の適切なサーチストリングであり得る。図８ｃは、ユーザがサーチストリングを入力する要望を示す場合に、ユーザに提示され得る例示の表示８５５を示す。ユーザはクエリボックス８５８にサーチストリングを入力し得る。サーチをさらに精細に行うために、ユーザはサーチを適用する１つ以上のサーチ基準８６０を選択し得る。これらの基準は、例えば番組時間、番組サブジェクト、またはキーワードサーチを含み得る。その後、メニュー画面を入力すると、ガイドはユーザによって入力されたサーチを実行し、そしてサーチ基準を満たす番組を含むユーザ規定された群８５０のみを表示する。ユーザにはまた、サーチ基準フィールド８７０から適切なチェックボックスを選択することにより、サーチがいつ実行されるべきかを決定する機会が与えられ得る。例えば、ユーザは、直ちにか、予定された時間にか（例えば、午前９時に、または１時間毎に）、あるいは特定のイベントが起こったときに（例えば、群またはサブ群が選択されたときはいつでも、特定の番組の終わりで、または任意の他の適切なイベントで）サーチを実行するように選択し得る。」
と記載され、また、図８ｂ、図８ｃは次のとおりである
　　
「【図８ｂ】
」
「【図８ｃ】
」
　　
　段落【００６０】の記載、図８ｂ、図８ｃによると、訂正事項１は、願書に添付した明細書、特許請求の範囲又は図面に記載した事項の範囲内である。
　したがって、訂正事項１は、願書に添付した明細書、特許請求の範囲又は図面に記載した事項の範囲内の訂正であり、特許法第１２０条の５第９項で準用する特許法第１２６条第５項の規定に適合するものである。
　　
エ　一群の請求項
　請求項２〜５は請求項１を直接的又は間接的に引用するから、請求項１〜５は一群の請求項である。
　上記訂正事項１は、一群の請求項に対して請求されたものであるから、特許法第１２０条の５第４項の規定に適合する。
　　
（２）請求項６〜１０に係る訂正
ア　訂正の目的について
　訂正事項２は、訂正前の請求項６の「１つのグループの中にメディアを含める基準は、予め定義されている」における「予め定義されている」を「
ユーザによって定義されたサーチクエリと、前記ユーザによって定義されたサーチクエリの結果が表示される１つ以上のグループのユーザ選択とに基づいて
　したがって、訂正事項２は、特許法第１２０条の５第２項ただし書第１号に規定する特許請求の範囲の減縮を目的とするものである。
　同様に、訂正後の請求項７〜１０は、訂正後の請求項６の記載を引用することにより、訂正後の請求項７〜１０に係る発明をより具体的に特定し、更に限定するものであるため、特許法第１２０条の５第２項ただし書第１号に規定する特許請求の範囲の減縮を目的とするものである。
　　
イ　実質上特許請求の範囲を拡張し、又は変更する訂正ではないこと
　上記アのとおり、訂正事項２は、発明特定事項を限定的に減縮するものであり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　訂正事項２は、訂正前の請求項６の記載を直接的又は間接的に引用する訂正前の請求項７〜１０の記載についても実質的に訂正するものであるが、上記アのとおり、訂正後の請求項６の記載は、訂正前の請求項６との関係で特許請求の範囲を実質的に拡張し、又は変更するものではない。
　また、訂正事項２は、訂正前の請求項６の記載以外に、訂正前の請求項７〜１０の記載について何ら訂正するものではなく、訂正後の請求項７〜１０に係る発明のカテゴリーや対象、目的を変更するものではない。
　したがって、訂正事項２は、訂正前の請求項７〜１０との関係で、実質上特許請求の範囲を拡張し、又は変更する訂正ではなく、特許法第１２０条の５第９項で準用する特許法第１２６条第６項の規定に適合するものである。
　　
ウ　願書に添付した明細書、特許請求の範囲又は図面に記載した事項の範囲内の訂正であること
　願書に添付した明細書の段落【００６０】の記載、図８ｂ、図８ｃは上記（１）ウのとおりである。
　段落【００６０】の記載、図８ｂ、図８ｃによると、訂正事項２は、願書に添付した明細書、特許請求の範囲又は図面に記載した事項の範囲内である。
　したがって、訂正事項２は、願書に添付した明細書、特許請求の範囲又は図面に記載した事項の範囲内の訂正であり、特許法第１２０条の５第９項で準用する特許法第１２６条第５項の規定に適合するものである。
　　
エ　一群の請求項
　請求項７〜１０は請求項６を直接的又は間接的に引用するから、請求項７〜１０は一群の請求項である。
　上記訂正事項２は、一群の請求項に対して請求されたものであるから、特許法第１２０条の５第４項の規定に適合する。
　　
（３）小括
　以上のとおりであるから、本件訂正請求による訂正は特許法第１２０条の５第２項ただし書第１号に掲げる事項を目的とするものであり、かつ、同条第４項、及び、同条第９項において準用する同法第１２６条第５項及び第６項の規定に適合するので、訂正後の請求項１〜１０について訂正することを認める。
　　
第３　特許異議の申立てについて
１　本件発明
　本件訂正請求により訂正された訂正請求項１〜１０（以下「本件発明１」〜「本件発明１０」という。）は、その特許請求の範囲の請求項１〜１０に記載された次の事項により特定されるとおりのものである。
　ただし、（１Ａ）〜（１０Ｂ）は当審で付与した。以下各構成要件を「構成要件１Ａ」〜「構成要件１０Ｂ」という。
　　
（本件発明１）
（１Ａ）ユーザにメディアを提示する方法であって、前記方法は、
（１Ｂ）番組ガイド表示画面の１以上のメディアグループオプションを表示のために生成することであって、
（１Ｂ-1）前記番組ガイド表示画面の前記１以上のメディアグループオプションを表示のために生成することは、前記１以上のメディアグループオプションを含む前記番組ガイド表示画面をユーザ機器の表示デバイス上に表示するための前記ユーザからの第１の入力に応答して行なわれ、
（１Ｂ-2）前記１以上のメディアグループオプションは、前記メディアの内容を示すことなく、前記メディアのタイトルを示すことなく、前記メディアの源を示すことなく、前記ユーザにとって利用可能なメディアを示し、
（１Ｂ-3）前記１以上のメディアグループオプションの中の１つのグループオプションに関連付けられている１つのグループの中にメディアを含める基準は、ユーザによって定義されたサーチクエリと、前記ユーザによって定義されたサーチクエリの結果が表示される１つ以上のグループのユーザ選択とに基づいて予め定義されている、ことと、
（１Ｃ）選択されたメディアグループオプションに関連付けられた複数のメディアインジケータを表示のために生成することであって、
（１Ｃ-1）前記選択されたメディアグループオプションに関連付けられた前記複数のメディアインジケータを表示のために生成することは、前記１以上のメディアグループオプションから１つのグループオプションを選択するための前記ユーザからの第２の入力に応答して行なわれ、
（１Ｃ-2）前記複数のメディアインジケータは、スケジュールされた時間に利用可能なメディアのための第１のメディアインジケータと、スケジュールされた時間なしで利用可能なメディアのための第２のメディアインジケータとを含む、ことと、
（１Ｄ）前記複数のメディアインジケータから１つのメディアインジケータの選択を受信したことに応答して、前記選択されたメディアインジケータに関連付けられたアクションを実行することと
（１Ｅ）を含む、方法。
　　
（本件発明２）
（２Ａ）前記選択されたメディアグループオプションは、現在利用可能なメディアに関連付けられている、
（２Ｂ）請求項１に記載の方法。
　　
（本件発明３）
（３Ａ）前記１以上のメディアグループオプションは、ユーザによって定義される、
（３Ｂ）請求項１に記載の方法。
　　
（本件発明４）
（４Ａ）メディアグループオプションに関連付けられたメディアサブグループオプションを表示のために生成することをさらに含み、
（４Ｂ）前記複数のメディアインジケータのうちの少なくとも１つは、前記メディアサプグループオプションに関連付けられている、
（４Ｃ）請求項１に記載の方法。
　　
（本件発明５）
（５Ａ）前記メディアサプグループオプションに関連付けられたメディアインジケータの数を示すことをさらに含む、
（５Ｂ）請求項４に記載の方法。
　　
（本件発明６）
（６Ａ）ユーザにメディアを提示するシステムであって、前記システムは、処理回路部を含み、前記処理回路部は、
（６Ｂ）番組ガイド表示画面の１以上のメディアグループオプションを表示のために生成することであって、
（６Ｂ-1）前記番組ガイド表示画面の前記１以上のメディアグループオプションを表示のために生成することは、前記１以上のメディアグループオプションを含む前記番組ガイド表示画面をユーザ機器の表示デバイス上に表示するための前記ユーザからの第１の入力に応答して行なわれ、
（６Ｂ-2）前記１以上のメディアグループオプションは、前記メディアの内容を示すことなく、前記メディアのタイトルを示すことなく、前記メディアの源を示すことなく、前記ユーザにとって利用可能なメディアを示し、
（６Ｂ-3）前記１以上のメディアグループオプションの中の１つのグループオプションに関連付けられている１つのグループの中にメディアを含める基準は、ユーザによって定義されたサーチクエリと、前記ユーザによって定義されたサーチクエリの結果が表示される１つ以上のグループのユーザ選択とに基づいて予め定義されている、ことと、
（６Ｃ）選択されたメディアグループオプションに関連付けられた複数のメディアインジケータを表示のために生成することであって、
（６Ｃ-1）前記選択されたメディアグループオプションに関連付けられた前記複数のメディアインジケータを表示のために生成することは、前記１以上のメディアグループオプションから１つのグループオプションを選択するための前記ユーザからの第２の入力に応答して行なわれ、
（６Ｃ-2）前記複数のメディアインジケータは、スケジュールされた時間に利用可能なメディアのための第１のメディアインジケータと、スケジュールされた時間なしで利用可能なメディアのための第２のメディアインジケータとを含む、ことと、
（６Ｄ）前記複数のメディアインジケータから１つのメディアインジケータの選択を受信したことに応答して、前記選択されたメディアインジケータに関連付けられたアクションを実行することと
（６Ｅ）を行うように構成されている、システム。
　　
（本件発明７）
（７Ａ）前記選択されたメディアグループオプションは、現在利用可能なメディアに関連付けられている、
（７Ｂ）請求項７に記載のシステム。
　　
（本件発明８）
（８Ａ）前記１以上のメディアグループオプションは、ユーザによって定義される、
（８Ｂ）請求項６に記載のシステム。
　　
（本件発明９）
（９Ａ）前記処理回路部は、メディアグループオプションに関連付けられたメディアサブグループオプションを表示のために生成するようにさらに構成されており、
（９Ｂ）前記複数のメディア インジケータのうちの少なくとも１つは、前記メディアサプグループオプションに関連付けられている、
（９Ｃ）請求項６に記載のシステム。
　　
（本件発明１０）
（１０Ａ）前記処理回路部は、前記メディアサプグループオプションに関連付けられたメディアインジケータの数を示すようにさらに構成されている、
（１０Ｂ）請求項９に記載のシステム。
　　
２　取消理由の概要
　訂正前の請求項１〜１０に係る特許に対して平成３０年１０月３１日付けで特許権者に通知した取消理由の要旨は、次のとおりである。
　　
Ａ（新規性）本件特許の請求項１〜３、６〜８に係る発明は、その出願前日本国内または外国において頒布された下記の甲第１号証に記載された発明であるから、特許法第２９条第１項第３号に該当し、特許を受けることができない。
　　
Ｂ（進歩性）本件特許の請求項１〜１０に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　
　　　　　　　　　　　記
　甲第１号証：国際公開第００／０４７０６号
　甲第２号証：特開平８−１０２９２２号公報
　甲第３号証：特開平１０−１６４４７１号公報
　　
３　甲各号証の記載及び甲各号証に記載された発明
（１）甲第１号証
ア　甲第１号証の記載事項
　甲第１号証（以下「甲１」という。）には、「CLIENT-SERVER BASED INTERACTIVE TELEVISION PROGRAM GUIDE SYSTEM WITH REMOTE SERVER RECORDING」［訳：リモートサーバ録画を用いたクライアント−サーバに基づいた双方向テレビ番組ガイドシステム］（発明の名称）に関し、図面と共に次に掲げる事項が記載されている（下線は当審が付与した。訳は、甲１の対応する公表公報：特表２００３−５２０４５８号公報の記載を参考に当審で付した。）。
　　
（ア）「Cable, satellite, and broadcast television systems provide viewers with a large number of television channels. Viewers have traditionally consulted printed television program schedules to determine the programs being broadcast at a particular time. More recently, interactive television program guides have been developed that allow television program information to be displayed on a user’s television. Interactive television program guides allow the user to navigate through television program listings using a remote control. 
In a typical program guide, various groups of television program listings are displayed in predefined or user-defined categories.
［訳：ケーブルテレビシステム、衛星テレビシステム、および放送テレビシステムは、視聴者に多数のテレビチャンネルを提供する。視聴者は従来から、特定の時間に放送される番組を決定するために、印刷されたテレビ番組予定を参照してきた。より最近では、ユーザのテレビにテレビ番組情報を表示することを可能にする双方向テレビ番組ガイドが開発されている。双方向テレビ番組ガイドは、ユーザがリモコンを用いてテレビ番組ガイドをナビゲートすることを可能にする。
典型的な番組ガイドでは、様々な種類のテレビ番組リスト項目が、所定のカテゴリまたはユーザの規定するカテゴリ内で表示される。
　　
（イ）「The interactive television program guide or program guide client may run on set-top box 28, on television 36, on optional digital storage device 31 (if television 36 or optional digital storage device 31 has suitable 
processing circuitry
［訳：双方向テレビ番組ガイドまたは番組ガイドクライアントは、セットトップボックス２８、テレビ３６、オプションのデジタル記憶装置３１（ただし、テレビ３６またはオプションのデジタル記憶装置３１が適切な
処理回路
　　
（ウ）「
When a user indicates a desire to access the interactive television program guide (e.g., by using a MENU key on remote control40), the program guide generates an appropriate program guide display screen for display on display device 45. A main menu screen such as illustrative main menu screen 100 of FIG. 10 may be generated that provides the user with access to various program guide functions.
［訳：
ユーザが（例えば、リモコン４０上の「メニュー」キーを用いて）双方向テレビ番組ガイドにアクセスしたい旨を知らせると、番組ガイドは、適切な番組ガイド表示画面を生成して、表示デバイス４５上に表示する。図１０の例示的メインメニュー画面１００のようなメインメニュー画面を生成することができ、この画面は、ユーザに様々な番組ガイド機能へのアクセスを提供する。
　　
（エ）「
Illustrative main menu screen 100 of FIG. 10 includes a menu 102 of selectable program guide features 106.
program guide options 106
［訳：
図１０の例示的メインメニュー画面１００は、選択可能な番組ガイド機能１０６のメニュー１０２を含む。
番組ガイドオプション１０６
　　
（オ）「One function of the interactive television program guide may be to provide the user with the opportunity to view television program listings. 
A user may indicate a desire to view program listings by, for example, positioning highlight region 120 over a desired program guide option related to program listings (e.g., the movies option).
The program guide may also present program listings when the user presses a suitable key (e.g., a GUIDE key) on remote control 40. When the user indicates a desire to view television program listings, the program guide
may generate an appropriate program listings screen for display on monitor 45. A program listings screen may contain one or more groups or lists of program listings organized according to one or more organization criteria (e.g., by program category).
［訳：双方向テレビ番組ガイドの１つの機能は、ユーザにテレビ番組リス卜項目を見る機会を与えることであり得る。
ユーザは、例えば強調表示領域１２０を番組リスト項目（例えば、「映画」オプション）に関連する所望の番組ガイドオプション上に位置決めすることにより、番組リスト項目を見たい旨を知らせることができる。番組ガイドはまた、ユーザがリモコン４０上の適切なキー（例えば、「ガイド」キー）を押したときに、番組リスト項目を提示することもできる。ユーザがテレビ番組リスト項目を見たい旨を知らせると、番組ガイドは、
適切な番組リスト項目を生成してモニタ４５上に表示することができる。番組リスト項目画面は、１つ以上の分類基準（例えば、番組カテゴリなど）に従って分類された番組リスト項目のグループまたはリストを１つ以上含み得る。
　　
（カ）「
A user may indicate a desire to view program listings by time, channel, or category by, for example, selecting a selectable feature from menu 102. In response, the program guide may display program listings in a suitable listings display screen.
［訳：
ユーザは、例えばメニュー１０２から選択可能な機能を選択することにより、時間別、チャンネル別、またはカテゴリ別の番組リスト項目を見たい旨を示し得る。それに応答して、番組ガイドは、番組リスト項目を適切なリスト項目表示画面で示すことができる。
　　
（キ）「
The program listings screens
may also include listings for programs recorded
［訳：また、図１１ａ、図１１ｂ、および図１１ｃの
番組リスト項目画面は、
録画された
番組のリスト項目も含むことができる
　　
（ク）「FIGS. 11a, 11b and 11c show listings for recorded programs and programs scheduled for recording as having a slightly different listing display format than the listings for regular programs. For example, recorded programs have their actual or anticipated record dates displayed. If desired, any other suitable approach may be used 
to indicate that some listings are for recorded programs
［訳：　図１１ａ、図１１ｂ、および図１１ｃは、録画済み番組および録画予定番組についてのリスト項目の表示形式が、通常の番組のリスト項目の表示形式と少し異なっている様子を示す。例えば、録画される番組の実際の録画日または録画予定日が表示されている。所望ならば、他の任意の適切なアプローチを用いて、
録画済み番組
いくつかのリスト項目を示してもよい
　　
（ケ）「Once 
the user has selected a listing and indicated a desire that its associated program be played back (and if necessary confirmed the playback)
［訳：
ユーザがリスト項目を選択してそのリスト項目に関連する番組を再生したい旨を知らせる（そして必要な場合、その再生を確認する）
　　
（コ）「The user may select or designate a program for playback by, for example, selecting the listing for the program from a list or other program guide display screen. After 
the user designates a program for playback (e.g., by selecting a listing and pressing a PLAY key on remote control 40)
the program and associated program guide data are played back from the recording media server and presented to the user 
［訳：ユーザは、例えばリストまたは他の番組ガイド表示画面から番組リスト項目を選択することにより、再生する番組を選択または指定することができる。
ユーザが（例えばリスト項目を選択してリモコン４０上の「再生」キーを押すなどして）再生する番組を指定する
録画メディアサーバから番組および関連番組ガイドデータが再生され、ユーザへと提示される
　　
「
」
［訳：【図１０】
］
「
」
［訳：【図１１ａ】
］
「
」
［訳：【図１１ｂ】
］
「
」
［訳：【図１１ｃ】
］
　　
イ　甲１に記載された発明
（ア）上記ア（ウ）、（エ）によると、ユーザがリモコン上のメニューキーを用いてテレビ番組ガイドにアクセスしたい旨を知らせると、番組ガイド表示画面であるメインメニュー画面（１００）を生成して表示する。ここで、メインメニュー画面（１００）は複数の番組ガイドオプション（１０６）を含む。
　　
（イ）図１０によると、番組ガイドオプション（１０６）には、「BY CHANNEL」（チャンネル別）、「FAVORITES」(お気に入り）がある。
　　
（ウ）上記ア（ア）によると、番組ガイドは、様々な種類のテレビ番組リスト項目が、所定のカテゴリまたはユーザの規定するカテゴリ内で表示される。
　　
（エ）上記ア（オ）によると、ユーザが強調表示領域（１２０）を所望の番組ガイドオプション（１０６）上に位置決めし、ガイドキーを押すと、番組リスト項目画面を生成して表示する。ここで、番組リスト項目画面は１つ以上の分類基準に従って分類された番組リスト項目のグループを含む。
　　
（オ）図１１ｂの番組リスト項目画面には、上記ア（キ）、（ク）によると、録画された番組の番組リスト項目があり、図１１ｂによると、時間及び番組の番組リスト項目がある。
　　
（カ）上記ア（ケ）、（コ）によると、複数の番組リスト項目（１５０）から１つの番組リスト項目を選択し、リモコンの再生キーを押すことにより、再生する番組を指定すると、番組が再生され、ユーザへ提示される。
　したがって、甲１には、番組を再生することが記載されている。
　　
（キ）以上まとめると、甲１には、上記（ア）〜（カ）のような番組を再生することが記載されている。
　これを方法の発明として認定すると、甲１には、次の発明（以下「甲１発明」という。）が記載されていると認められる。
　　
（甲１発明）
（１ａ）ユーザがリモコン上のメニューキーを用いてテレビ番組ガイドにアクセスしたい旨を知らせると、番組ガイド表示画面であるメインメニュー画面を生成して表示し、
（１ａ-1）ここで、メインメニュー画面は複数の番組ガイドオプションを含み、番組ガイドオプションには、チャンネル別、お気に入りがあり、番組ガイドは、様々な種類のテレビ番組リスト項目が、所定のカテゴリまたはユーザの規定するカテゴリ内で表示され、
（１ｂ）ユーザが強調表示領域を所望の番組ガイドオプション上に位置決めし、ガイドキーを押すと、番組リスト項目画面を生成して表示し、
（１ｂ-1）ここで、番組リスト項目画面は１つ以上の分類基準に従って分類された番組リスト項目のグループを含み、番組リスト項目画面は、録画された番組の番組リスト項目と、時間及び番組の番組リスト項目があり、
（１ｃ）複数の番組リスト項目から１つの番組リスト項目を選択し、リモコンの再生キーを押すことにより、再生する番組を指定すると、番組が再生され、ユーザへ提示される、
（１ｄ）方法。
　　
（（１ａ）〜（１ｄ）は、構成を区別するために、当審で付与した。以下各構成を「構成１ａ」〜「構成１ｄ」という。）
　　
（２）甲第２号証
ア　甲第２号証の記載事項
　甲第２号証（以下「甲２」という。）には、「番組情報放送方式、番組情報表示方法および受信装置」（発明の名称）に関し、図面と共に次に掲げる事項が記載されている（下線は当審が付与した。）。
　　
「【００２７】この発明による番組情報表示方法においては、前記番組情報放送方式により放送される番組情報の対応表データを用いて、識別データからなる番組予定表データを文字表示するためのデータで表された番組予定表データに作り変え、ディスプレイに表示する。このとき、
ユーザにより番組の分類項目や細項目が選択指定されれば、その指定された分類項目、例えばスポーツ番組のみの番組予定が、ディスプレイに表示される
　　
「【０１８１】図１９は、他の検索例の画面表示の例である。この例は、項目種類一覧データに基づく初期検索メニューＭ４が図１９Ａに示すような場合であって、この初期検索メニューＭ４において、
項目種類「出演者（ＡＲＴＩＳＴ）」がユーザにより検索キーとして選択された場合である
【０１８２】この例の場合には、放送信号中のインデックスデータのＩＤ対応一覧データとして出演者ＩＤ対応一覧データが含まれているので、メニューＭ５としては、図１９Ｂに示すように、その出演者ＩＤ一覧データのテキストデータを文字に変換した
出演者一覧表が表示される
【０１８３】そして、このメニューＭ５において、特定の項目、この例の場合には、
特定の出演者名が図１９Ｂで斜線を付して示すように、ユーザにより選択されると
当該出演者が出演する番組
　　
イ　甲２に記載された技術
　甲２の段落【００２７】には、「ユーザにより番組の分類項目や細項目が選択指定されれば、その指定された分類項目、例えばスポーツ番組のみの番組予定が、ディスプレイに表示される」と記載されている。この記載によると、番組の分類項目により選択指定されるとその指定された分類項目の番組予定が表示される。また、細項目の記載があり、細項目については具体的な記載がないものの、分類項目の更に細かい項目として理解でき、分類項目を選択指定すると、細項目が表示され、そのうちの１つの項目を選択指定することで番組予定（番組表）が表示されるものと理解できる。段落【０１８１】〜【０１８３】にも同様な記載がある。
　したがって、甲２には、「番組の分類項目、細項目により対応する項目別番組表を表示する技術」（以下「甲２技術」という。）が記載されている。
　　
（３）甲第３号証
ア　甲第３号証の記載事項
　甲第３号証（以下「甲３」という。）には、「知的映像録画再生装置」（発明の名称）に関し、図面と共に次に掲げる事項が記載されている（下線は当審が付与した。）。
　　
「【００２２】図６は図５において録画登録された番組の情報を格納する録画番組構造体９０を表す。９１は録画登録された番組の検索に利用したキーワードが格納され、９２は録画登録がされた番組の順番が格納され、９３は録画登録された番組のタイトルが格納され、９４は録画登録された番組の放送局名が格納され、９５は録画登録された番組の放送される日付が格納され、９６は録画登録された番組の開始時間が格納され、９７は録画登録された番組の終了時間が格納され、９８は録画登録された番組のＧコードが格納される。
【００２３】図７は再生モードボタン１００が押されたときに表示される画面１１０であり、
録画が完了して保存された番組の件数を検索に用いたキーワード別に表示している
領域１１１はキーワードに別に録画した番組の件数を表示する領域であり、１１１−１は番組の検索を行うのに利用したキーワードであり、１１１−２は録画が完了した件数を表す
【００２４】このように、録画が完了した番組の状況を検索したキーワード別に表示するため、録画番組がたくさん発生した場合に所望の番組を簡単に探すことができる。
【００２５】図８は図７で選択したキーワードにより録画された番組の詳細情報とそのアイコン画像を示す。領域１２１は番組の検索に利用したキーワードを表示する領域であり、１２１−１はキーワードである。領域１２２は録画が完了した番組の詳細な情報を表示する領域であり、１２２−１は録画された番組名、１２２−２は番組を放送した局名、１２２−３は番組の放送された日付、１２２−４は番組の放送された時間帯である。１２２−５は録画された番組のアイコン画像である。
【００２６】このアイコン画像１２２−５は番組のダイジェストとなる画像，シーンが切り変わった場面の画像，一定時間間隔で得られた画像から構成される。尚、録画番組が表示可能な数を超えた場合には、領域１２２がスクロールする。これにより、全ての番組を確認する場合、ユーザは領域１２３のスクロールバー１２４を操作することで確認できる。そして、このように表示されている番組の中から視聴を希望する場合は、希望番組の領域１２２に、リモコン１０のカーソルコントロールボタン１０−１１でカーソル２０を移動させ、決定ボタン１０−１２を押すことにより選択が行える。」
　　
「【図７】
」
　　
イ　甲３に記載された技術
　甲３の段落【００２２】〜【００２６】及び図７には、キーワード別に録画した番組の件数を表示することが記載されている。
　したがって、甲３には、「項目に属する番組の数を表示する技術」（以下「甲３技術」という。）が記載されている。
　　
（４）甲第４号証
ア　甲第４号証の記載事項
　異議申立人が、平成３１年３月２７日付け意見書とともに提出した甲第４号証（特開平７−２０３４１１号公報）には、「有線テレビ制御器」（発明の名称）に関し、図面と共に次に掲げる事項が記載されている
　　
「【００３４】本発明の個人用番組ガイド機能によれば、
視聴者が特別の興味を持つ具体的テレビ番組の表示を見ることができる個人用番組ガイドが提供
　　
「【００３７】図１６は、現番組情報を維持するケーブル制御器２０の動作を説明する。ケーブル制御器２０は、ステップ１３２において、ケーブル入力信号内の制御メッセージを介して、有線会社のような番組情報源から一定期間（例えば、１週間）の全番組リストをダウンロードする。（有線会社が全番組リストから作成した）処理前主題リストも、ステップ１３４において、ケーブル制御器２０にダウンロードされる。ついで、ケーブル制御器２０は、ステップ１３６において、元に戻る。ケーブル制御器２０は、
個人用番組ガイドを作成するため、
使用者定義によるキーワードフィルタ（「好き」および「嫌い」）を適用する
」
　　
「【００５５】以下の例は、個人用番組ガイド機能がどのような方法で設定され使用されうるかを説明するために提供される。ある特定の視聴者は、（ゴルフ、テレビショー「ＡＢＣ」、ジュデー・ガーランドの昔の映画、料理およびニューヨークライダーズ野球チームを含む）自分の興味が反映されるように、個人用番組ガイドを設定することを望む。視聴者は、「テレショッピング」網に関する番組（チャネル１２７）にも興味がなく、特別支払いチャネル２５０〜３００に契約しない。
【００５６】視聴者プロファイルを設定するため、視聴者は、遠隔制御装置３０の個人用番組ガイドボタン１３７を押す。図２２に示された情報は、テレビスクリーンに表示される。スクリーンは、個人用番組ガイドＮｏ．１が母親によって使用され、個人用番組ガイドＮｏ．２が父親によって使用されることを示す。残りの番組ガイドは、現在、使用されない。新しい個人用番組ガイドを作成するため、視聴者は、遠隔制御装置３０の「３」ボタンを押す。
【００５７】
新しい個人用番組ガイドを設定するため、
視聴者の名前の入力
【００５８】視聴者の名前を入力するため、視聴者は、アルファベットを順次通過して望みの最初の文字を得る（または、下向きボタン（谷形印）２６４を使用して逆の順序に順次通過する）ため遠隔制御装置３０の上向きボタン（山形印）２６２を使用する。視聴者は、望みの最初の文字に達したとき、次の文字に移動するため、右ボタン（右向き矢印）２６６を押す。この過程は、視聴者が自分の名前を完全に入力するまで、繰返される。本例によれば、視聴者は、名前「マチュー（Matthew）」を入力する。全ての文字が入力されたとき、視聴者は、続いて「入力」キー１３１を押す。この時点で、個人用番組ガイドの主メニューは、図２４に示されているように表示される。
【００５９】
個人用番組ガイドが全ての現存する番組をフィルタに掛けるようにするため、「好き」リスト
および
「嫌い」リスト
が設定され
視聴者は、「好き」リストを設定する
１．　
主題追加
「好き」リストに主題キーワード
を追加する
２．　
番組名追加
番組名
「好き」リストに追加する
３．　チャネル番号追加　−　この選択肢により、視聴者は、特定のチャネル番号（例えば、１７，１３６，２９２）を「好き」リストに追加することができる。
４．　
特別項目追加
特定の名前（
を「好き」リストに追加する
５．　
現番組追加
現番組を「好き」リストに追加する
　　
「【００７２】この時点で、視聴者は、
「好き」リストを作成するのに使用されたのと同一方法を使用して、「嫌い」リストを作成することができる
【００７３】「嫌い」リストにチャネルを追加するため、視聴者は、遠隔制御装置３０の「３」を押す。ついで、視聴者は、図３２に示されたプロンプトによりチャネル番号を入力するよう催促される。「テレショッピング」チャネルを「嫌い」リストに追加するため、視聴者は、チャネル番号「１２７」を入力し、「入力」を押し、「嫌いリスト更新」メニューに戻る。有料チャネル（２５０〜３００）の閉鎖を「嫌い」リストに追加するため、視聴者は、「３」を押して、チャネル番号を「嫌い」リストに追加し、「２５０」、「３００」および「入力」を入力する。「嫌いリスト更新」メニューは、図３３に示されているように再表示される。」
　　
「【００７４】編集された通りの
視聴者の個人用番組ガイドを見るため
「好き」フィルタおよび「嫌い」フィルタが現在の１日番組に適用された視聴者の個人用番組ガイドを表示する
　　
「【図２２】
」
「【図２３】
」
「【図２４】
」
「【図２５】
」
「【図３１】
」
「【図３４】
」
　　
イ　甲４に記載された発明
　上記アによると、甲４には次の発明（以下「甲４発明」という。）が記載されていると認められる。
　　
（甲４発明）
　視聴者が特別の興味を持つ具体的テレビ番組の表示を見ることができる個人用番組ガイドを提供する方法であって、
　新しい個人用番組ガイドを作成するため、使用者定義によるキーワードフィルタ（「好き」および「嫌い」）を適用し、
　新しい個人用番組ガイドを設定するため、視聴者の名前の入力をして、新しい個人用番組ガイドが作成され、
　全ての現存する番組をフィルタに掛けるようにするため、「好き」リストおよび「嫌い」リストが設定され、設定のための選択肢には、
　主題キーワードを追加する主題追加、番組名を追加する番組名追加、特定のチャネル番号を追加するチャネル番号追加、特定の名前を追加する特別項目追加、現番組を追加する現番組追加があり、
　視聴者の個人用番組ガイドを見るため、「好き」フィルタおよび「嫌い」フィルタが現在の１日番組に適用された視聴者の個人用番組ガイドを表示する、
　個人用番組ガイドを提供する方法。
　　
４　判断
（１）取消理由通知に記載した取消理由について
ア　新規性（甲１発明）
（ア）本件発明１
ａ　本件発明１、甲１発明
　本件発明１と甲１発明とを対比するにあたり、本件発明１と甲１発明とを再掲する。
　　
（本件発明１）
（１Ａ）ユーザにメディアを提示する方法であって、前記方法は、
（１Ｂ）番組ガイド表示画面の１以上のメディアグループオプションを表示のために生成することであって、
（１Ｂ-1）前記番組ガイド表示画面の前記１以上のメディアグループオプションを表示のために生成することは、前記１以上のメディアグループオプションを含む前記番組ガイド表示画面をユーザ機器の表示デバイス上に表示するための前記ユーザからの第１の入力に応答して行なわれ、
（１Ｂ-2）前記１以上のメディアグループオプションは、前記メディアの内容を示すことなく、前記メディアのタイトルを示すことなく、前記メディアの源を示すことなく、前記ユーザにとって利用可能なメディアを示し、
（１Ｂ-3）前記１以上のメディアグループオプションの中の１つのグループオプションに関連付けられている１つのグループの中にメディアを含める基準は、ユーザによって定義されたサーチクエリと、前記ユーザによって定義されたサーチクエリの結果が表示される１つ以上のグループのユーザ選択とに基づいて予め定義されている、ことと、
（１Ｃ）選択されたメディアグループオプションに関連付けられた複数のメディアインジケータを表示のために生成することであって、
（１Ｃ-1）前記選択されたメディアグループオプションに関連付けられた前記複数のメディアインジケータを表示のために生成することは、前記１以上のメディアグループオプションから１つのグループオプションを選択するための前記ユーザからの第２の入力に応答して行なわれ、
（１Ｃ-2）前記複数のメディアインジケータは、スケジュールされた時間に利用可能なメディアのための第１のメディアインジケータと、スケジュールされた時間なしで利用可能なメディアのための第２のメディアインジケータとを含む、ことと、
（１Ｄ）前記複数のメディアインジケータから１つのメディアインジケータの選択を受信したことに応答して、前記選択されたメディアインジケータに関連付けられたアクションを実行することと
（１Ｅ）を含む、方法。
　　
（甲１発明）
（１ａ）ユーザがリモコン上のメニューキーを用いてテレビ番組ガイドにアクセスしたい旨を知らせると、番組ガイド表示画面であるメインメニュー画面を生成して表示し、
（１ａ-1）ここで、メインメニュー画面は複数の番組ガイドオプションを含み、番組ガイドオプションには、チャンネル別、お気に入りがあり、番組ガイドは、様々な種類のテレビ番組リスト項目が、所定のカテゴリまたはユーザの規定するカテゴリ内で表示され、
（１ｂ）ユーザが強調表示領域を所望の番組ガイドオプション上に位置決めし、ガイドキーを押すと、番組リスト項目画面を生成して表示し、
（１ｂ-1）ここで、番組リスト項目画面は１つ以上の分類基準に従って分類された番組リスト項目のグループを含み、番組リスト項目画面は、録画された番組の番組リスト項目と、時間及び番組の番組リスト項目があり、
（１ｃ）複数の番組リスト項目から１つの番組リスト項目を選択し、リモコンの再生キーを押すことにより、再生する番組を指定すると、番組が再生され、ユーザへ提示される、
（１ｄ）方法。
　　
ｂ　対比
　本件発明１と甲１発明とを対比する。
　　
（ａ）構成要件１Ａ、１Ｅと構成１ｃ、１ｄとを対比する。
　甲１発明における「番組」は、構成要件Ａの「メディア」に相当する。
　また、構成１ｃ、１ｄによると、甲１発明の「方法」は、「ユーザに番組を提示する方法」といえる。
　したがって、構成要件１Ａと構成１ｃ、１ｄとは、「ユーザにメディアを提示する方法」として一致する。
　また、構成要件１Ｅと構成１ｄとは、「方法」として一致する。
　　
（ｂ）構成要件１Ｂと構成１ａ、１ａ-1とを対比する。
　構成１ａの「番組ガイドオプション」は、構成１ｂ、１ｂ-1によると、「番組ガイドオプション」上に位置決めし、ガイドキーを押すと、番組リスト画面を生成し表示するものであって、構成要件１ｂ-1によると、番組リスト項目画面は１つ以上の分類基準に従って分類された番組リスト項目のグループを含む。したがって、構成１ａの「番組ガイドオプション」は、「メディアグループオプション」といえる。
　また、構成１ａ、１ａ-1によると、「メインメニュー画面」は、「番組ガイド表示画面」であり、「複数の番組ガイドオプション」を含むから、「メインメニュー画面を作成して表示する」ことは、「番組ガイド表示画面の１以上のメディアグループオプションを表示のために生成する」ことといえる。
　したがって、構成要件１Ｂと構成１ａ、１ａ-1とは、「番組ガイド表示画面の１以上のメディアグループオプションを表示のために生成すること」として一致する。
　　
（ｃ）構成要件１Ｂ-1と構成１ａとを対比する。
　上記（ｂ）のとおり、構成１ａの「メインメニュー画面を生成して表示」することは、「番組ガイド表示画面の１以上のメディアグループオプションを表示のために生成する」ことといえる。
　そして、構成１ａの「ユーザがリモコン上のメニューキーを用いてテレビ番組ガイドにアクセスしたい旨を知らせると、番組ガイド表示画面であるメインメニュー画面を生成して表示」することは、「前記１以上のメディアグループオプションを含む前記番組ガイド表示画面をユーザ機器の表示デバイス上に表示するための前記ユーザからの第１の入力に応答して行なわれ」るといえる。
　したがって、構成要件１Ｂ-1と構成１ａとは、「前記番組ガイド表示画面の前記１以上のメディアグループオプションを表示のために生成することは、前記１以上のメディアグループオプションを含む前記番組ガイド表示画面をユーザ機器の表示デバイス上に表示するための前記ユーザからの第１の入力に応答して行なわれ」るとして一致する。
　　
（ｄ）構成要件１Ｂ-2と構成１ａ-1とを対比する。
　「メディアグループオプション」に相当する構成１ａ-1の「番組ガイドオプション」の「チャンネル別」は、「前記メディアの内容を示すことなく、前記メディアのタイトルを示すことなく、前記メディアの源を示すことなく、前記ユーザにとって利用可能なメディアを示」しているといえる。
　したがって、構成要件１Ｂ-2と構成１ａ-1とは、「前記１のメディアグループオプションは、前記メディアの内容を示すことなく、前記メディアのタイトルを示すことなく、前記メディアの源を示すことなく、前記ユーザにとって利用可能なメディアを示」すとして一致する。
　「１以上のメディアオプション」は、「１のメディアオプション」を含むから、構成要件１Ｂ-2と構成１ａ-1とは、「前記１以上ののメディアグループオプションは、前記メディアの内容を示すことなく、前記メディアのタイトルを示すことなく、前記メディアの源を示すことなく、前記ユーザにとって利用可能なメディアを示」すとして一致する。
　　
（ｅ）構成要件１Ｂ-3と構成１ａ-1とを対比する。
　構成１ａ-1の「番組ガイドは、様々な種類のテレビ番組リスト項目が、所定のカテゴリまたはユーザの規定するカテゴリ内で表示され」ることは、「前記１以上のメディアグループオプションの中の１つのグループオプションに関連付けられている１つのグループの中にメディアを含める基準は、予め定義されている、こと」といえる。
　しかしながら、構成１ａ-1は、「１つのグループの中にメディアを含める基準」が、「ユーザによって定義されたサーチクエリと、前記ユーザによって定義されたサーチクエリの結果が表示される１つ以上のグループのユーザ選択とに基づいて」予め定義されていない点で、構成要件１Ｂ-3と相違する。
　　
（ｆ）構成要件１Ｃと構成１ｂとを対比する。
　構成１ｂ「番組リスト項目画面」は、構成１ｂ-1によると、「番組リスト項目画面は１つ以上の分類基準に従って分類された番組リスト項目のグループを含」むから、複数の「番組リスト項目」を含む。
　当該「番組リスト項目」は、「番組」を示すものといえ、構成要件１Ｃの「メディアインジケータ」に相当する。
　また、構成１ｂの「ユーザが強調表示領域を所望の番組ガイドオプション上に位置決め」することは、「メディアグループオプション」に相当する「番組ガイドオプション」を選択することといえる。
　したがって、構成要件１Ｃと構成１ｂとは、「選択されたメディアグループオプションに関連付けられた複数のメディアインジケータを表示のために生成すること」として一致する。
　　
（ｇ）構成要件１Ｃ-1と構成１ｂとを対比する。
　上記（ｆ）のとおり、構成１ｂの「番組リスト項目画面を生成して表示」することは、「選択されたメディアグループオプションに関連付けられた複数のメディアインジケータを表示のために生成すること」といえる。
　そして、構成１ｂの「ユーザが強調表示領域を所望の番組ガイドオプション上に位置決めし、ガイドキーを押すと、番組リスト項目画面を生成して表示」することは、「前記１以上のメディアグループオプションから１つのグループオプションを選択するための前記ユーザからの第２の入力に応答して行なわれ」るといえる。
　したがって、構成要件１Ｃ-1と構成１ｂとは、「前記選択されたメディアグループオプションに関連付けられた前記複数のメディアインジケータを表示のために生成することは、前記１以上のメディアグループオプションから１つのグループオプションを選択するための前記ユーザからの第２の入力に応答して行なわれ」るとして一致する。
　　
（ｈ）構成要件１Ｃ-2と構成１ｂ-1とを対比する。
　構成１ｂ-1の「番組リスト項目」は、構成要件１Ｃ-2の「メディアインジケータ」に相当する。
　また、構成１ｂ-1の「録画された番組の番組リスト項目」は、「スケジュールされた時間なしで利用可能なメディアのための第２のメディアインジケータ」といえ、構成１ｂ-1の「時間及び番組の番組リスト項目」は、「スケジュールされた時間に利用可能なメディアのための第１のメディアインジケータ」といえる。
　したがって、構成要件１Ｃ-2と構成１ｂ-1とは、「前記複数のメディアインジケータは、スケジュールされた時間に利用可能なメディアのための第１のメディアインジケータと、スケジュールされた時間なしで利用可能なメディアのための第２のメディアインジケータとを含む、こと」として一致する。
　　
（ｉ）構成要件１Ｄと構成１ｃとを対比する。
　構成１ｃの「複数の番組リスト項目から１つの番組リスト項目を選択し、リモコンの再生キーを押すことにより、再生する番組を指定すると、番組が再生され、ユーザーへ提示される」ことは、「前記複数のメディアインジケータから１つのメディアインジケータの選択を受信したことに応答して、前記選択されたメディアインジケータに関連付けられたアクションを実行すること」として一致する。
　　
ｃ　まとめ
　以上によると、上記（ｅ）のとおり相違点があるから、本件特許発明１と甲１発明とは一致しない。
　したがって、本件発明１は、甲１発明ではない（理由Ａ）。
　　
（イ）本件発明２、３
　本件発明２、３は、請求項１の記載（本件発明１）を引用するものであって、上記（ア）のとおり、本件発明１は甲１発明ではないから、本件発明２、３は、本件発明１と同じ理由で、甲１発明ではない。
　　
（ウ）本件発明６
　本件発明６は、本件発明１のカテゴリ−の異なる発明であって、本件発明１の「方法」の発明を、「システム」の発明にしたものであり、方法の発明の動作をシステムの「処理回路部」が行うようにしたものである。
　上記３（１）ア（イ）によると、番組ガイドが、「処理回路」により実行されるから、甲１に記載された発明として、甲１発明である方法を「処理回路」が実行するシステムの発明が認定できる。
　したがって、本件発明６は、本件発明１の取消理由と同様な理由で、甲１に記載された発明でない。
　　
（エ）本件発明７、８
　本件発明７、８は、請求項６の記載（本件発明６）を引用するものであって、上記（ウ）のとおり、本件発明６は甲１に記載された発明ではないから、本件発明２、３は、本件発明６と同じ理由で、甲１に記載された発明ではない。
　　
イ　進歩性
（ア）本件発明１
ａ　一致点、相違点
　本件発明１と甲１発明とを対比すると、上記ア（ア）ｂのとおりである。したがって、一致点、相違点は次のとおりである。
　なお、共通するものの相違点がある構成要件には、記号に「’」を付与した。
　　
（一致点）
（１Ａ）ユーザにメディアを提示する方法であって、前記方法は、
（１Ｂ）番組ガイド表示画面の１以上のメディアグループオプションを表示のために生成することであって、
（１Ｂ-1）前記番組ガイド表示画面の前記１以上のメディアグループオプションを表示のために生成することは、前記１以上のメディアグループオプションを含む前記番組ガイド表示画面をユーザ機器の表示デバイス上に表示するための前記ユーザからの第１の入力に応答して行なわれ、
（１Ｂ-2）前記１以上のメディアグループオプションは、前記メディアの内容を示すことなく、前記メディアのタイトルを示すことなく、前記メディアの源を示すことなく、前記ユーザにとって利用可能なメディアを示し、
（１Ｂ-3’）前記１以上のメディアグループオプションの中の１つのグループオプションに関連付けられている１つのグループの中にメディアを含める基準は、予め定義されている、ことと、
（１Ｃ）選択されたメディアグループオプションに関連付けられた複数のメディアインジケータを表示のために生成することであって、
（１Ｃ-1）前記選択されたメディアグループオプションに関連付けられた前記複数のメディアインジケータを表示のために生成することは、前記１以上のメディアグループオプションから１つのグループオプションを選択するための前記ユーザからの第２の入力に応答して行なわれ、
（１Ｃ-2）前記複数のメディアインジケータは、スケジュールされた時間に利用可能なメディアのための第１のメディアインジケータと、スケジュールされた時間なしで利用可能なメディアのための第２のメディアインジケータとを含む、ことと、
（１Ｄ）前記複数のメディアインジケータから１つのメディアインジケータの選択を受信したことに応答して、前記選択されたメディアインジケータに関連付けられたアクションを実行することと
（１Ｅ）を含む、方法。
　　
（相違点）
　「前記１以上のメディアグループオプションの中の１つのグループオプションに関連付けられている１つのグループの中にメディアを含める基準は、予め定義されている」における「基準」が、
　本件発明１においては、「ユーザによって定義されたサーチクエリと、前記ユーザによって定義されたサーチクエリの結果が表示される１つ以上のグループのユーザ選択とに基づいて」予め定義されているのに対し、
　甲１発明においては、「ユーザによって定義されたサーチクエリと、前記ユーザによって定義されたサーチクエリの結果が表示される１つ以上のグループのユーザ選択とに基づいて」予め定義されていない点
　　
ｂ　判断
　上記相違点について判断する。
　上記３（４）イのとおり、甲４には、甲４発明が記載されていると認められる。ここで、甲４発明を再掲する。
　
（甲４発明）
　視聴者が特別の興味を持つ具体的テレビ番組の表示を見ることができる個人用番組ガイドを提供する方法であって、
　新しい個人用番組ガイドを作成するため、使用者定義によるキーワードフィルタ（「好き」および「嫌い」）を適用し、
　新しい個人用番組ガイドを設定するため、視聴者の名前の入力をして、新しい個人用番組ガイドが作成され、
　全ての現存する番組をフィルタに掛けるようにするため、「好き」リストおよび「嫌い」リストが設定され、設定のための選択肢には、
　主題キーワードを追加する主題追加、番組名を追加する番組名追加、特定のチャネル番号を追加するチャネル番号追加、特定の名前を追加する特別項目追加、現番組を追加する現番組追加があり、
　視聴者の個人用番組ガイドを見るため、「好き」フィルタおよび「嫌い」フィルタが現在の１日番組に適用された視聴者の個人用番組ガイドを表示する、
　個人用番組ガイドを提供する方法。
　　
　甲４発明は、「好き」リストおよび「嫌い」リストに設定した使用者定義による主題キーワード、番組名、特定のチャネル番号、特定の名前及び現番組を適用して、個人用番組ガイドを提供するから、甲４発明は、「前記１以上のメディアグループオプションの中の１つのグループオプションに関連付けられている１つのグループの中にメディアを含める基準」は、「ユーザによって定義されたサーチクエリ」に基づいて予め定義されているといえる。しかしながら、甲４発明は、当該「基準」が「前記ユーザによって定義されたサーチクエリの結果が表示される１つ以上のグループのユーザ選択とに基づいて予め定義されている」ものを備えているとはいえない。
　　
　また、「前記１以上のメディアグループオプションの中の１つのグループオプションに関連付けられている１つのグループの中にメディアを含める基準」が、「ユーザによって定義されたサーチクエリと、前記ユーザによって定義されたサーチクエリの結果が表示される１つ以上のグループのユーザ選択とに基づいて予め定義されている」ことは、甲２、甲３をみても、記載も示唆をされておらず、自明のこととも認められない。
　　
　そうすると、本件発明１は、当業者であっても、甲１発明、甲２技術、甲３技術、甲４発明に基づいて容易になし得るものではない。
　　
　特許異議申立人は、平成３１年３月２７日付け意見書において、「甲４における個人用番組ガイドの名称として入力された視聴者の名前（「マチュー(Matthew)」)は、本件特許明細書におけるユーザがクエリボックス８５８にサーチストリングを入力して名付けたサーチ８３０の名称に対応するように、本件特許発明１の「ユーザによって定義された サーチクエリ」に相当する。さらに、甲４におけるメディアを含める基準を設定するための（図２５の画面中の）選択肢の選択は、本件特許明細書におけるユーザが名付けたサーチ８３０に対しての群８５０の選択に対応するように、本件特許発明１の「前記ユーザによって定義されたサーチクエリの結果が表示される１つ以上のグループのユーザ選択」に相当するから、甲４には、メディアを含める基準がユーザによって定義されたサーチクエリと、前記ユーザによって定義されたサーチクエリの結果が表示される１つ以上のグループのユーザ選択とに基づいて予め定義されていること（以下「甲４技術」という。）が記載されている。」（９頁３〜１５行）と主張している。
　しかしながら、甲４発明において、全ての現存する番組をフィルタするためのキーワードフィルタは、「好き」リストおよび「嫌い」リストに設定された主題キーワード、番組名、特定のチャネル番号あるいは特定の名前及び現番組であって、「視聴者の名前」でないことは明らかであるから、特許異議申立人の「視聴者の名前」は「ユーザによって定義されたサーチクエリ」に相当する旨の主張は採用できない。
　また、甲４発明には、上述したとおり、「キーワードフィルタによってフィルタされた結果が表示される１つ以上のグループのユーザ選択」は存在しないし、甲４発明の選択肢の選択（図２５の画面中）は主題キーワード、番組名、チャネル番号あるいは特別項目の追加を行うための選択であって、フィルタ結果を選択することではないことは明らかであるから、特許異議申立人の「選択肢の選択」は「サーチクエリの結果が表示される１つ以上のグループのユーザ選択」に相当する旨の主張は採用できない。
　　
（イ）本件発明２〜５
　本件発明２〜５は、本件発明１を引用するから、本件発明１と同じ理由で、当業者であっても、甲１発明、甲２技術、甲３技術、甲４発明に基づいて容易になし得るものではない。
　　
（ウ）本件発明６
　本件発明６は、本件発明１の「装置」の発明とカテゴリーの異なる「方法」の発明であるから、本件発明１と同様に、当業者であっても、甲１発明、甲２技術、甲３技術、甲４発明に基づいて容易になし得るものではない。
　　
（エ）本件発明７〜１０
　本件発明７〜１０は、本件発明６を引用するから、本件発明６と同じ理由で、当業者であっても、甲１発明、甲２技術、甲３技術、甲４発明に基づいて容易になし得るものではない。
　　
第４　むすび
　以上のとおりであるから、取消理由通知に記載した取消理由（特許異議申立書に記載した特許異議申立理由）によっては、本件訂正請求により訂正された訂正後の請求項１〜１０に係る特許を取り消すことはできない。
　また、他に本件訂正請求により訂正された訂正後の請求項１〜１０に係る特許を取り消すべき理由を発見しない。
　よって、結論のとおり決定する。
【異議決定日】
平成３１年４月２５日（２０１９．４．２５）
【訂正の要旨】
審決（決定）の【理由】欄参照。
（５７）【特許請求の範囲】
　【請求項１】
　ユーザにメディアを提示する方法であって、前記方法は、
　番組ガイド表示画面の１以上のメディアグループオプションを表示のために生成することであって、前記番組ガイド表示画面の前記１以上のメディアグループオプションを表示のために生成することは、前記１以上のメディアグループオプションを含む前記番組ガイド表示画面をユーザ機器の表示デバイス上に表示するための前記ユーザからの第１の入力に応答して行なわれ、前記１以上のメディアグループオプションは、前記メディアの内容を示すことなく、前記メディアのタイトルを示すことなく、前記メディアの源を示すことなく、前記ユーザにとって利用可能なメディアを示し、前記１以上のメディアグループオプションの中の１つのグループオプションに関連付けられている１つのグループの中にメディアを含める基準は、
ユーザによって定義されたサーチクエリと、前記ユーザによって定義されたサーチクエリの結果が表示される１つ以上のグループのユーザ選択とに基づいて
　選択されたメディアグループオプションに関連付けられた複数のメディアインジケータを表示のために生成することであって、前記選択されたメディアグループオプションに関連付けられた前記複数のメディアインジケータを表示のために生成することは、前記１以上のメディアグループオプションから１つのグループオプションを選択するための前記ユーザからの第２の入力に応答して行なわれ、前記複数のメディアインジケータは、スケジュールされた時間に利用可能なメディアのための第１のメディアインジケータと、スケジュールされた時間なしで利用可能なメディアのための第２のメディアインジケータとを含む、ことと、
　前記複数のメディアインジケータから１つのメディアインジケータの選択を受信したことに応答して、前記選択されたメディアインジケータに関連付けられたアクションを実行することと
　を含む、方法。
　【請求項２】
　前記選択されたメディアグループオプションは、現在利用可能なメディアに関連付けられている、請求項１に記載の方法。
　【請求項３】
　前記１以上のメディアグループオプションは、ユーザによって定義される、請求項１に記載の方法。
　【請求項４】
　メディアグループオプションに関連付けられたメディアサブグループオプションを表示のために生成することをさらに含み、前記複数のメディアインジケータのうちの少なくとも１つは、前記メディアサブグループオプションに関連付けられている、請求項１に記載の方法。
　【請求項５】
　前記メディアサブグループオプションに関連付けられたメディアインジケータの数を示すことをさらに含む、請求項４に記載の方法。
　【請求項６】
　ユーザにメディアを提示するシステムであって、前記システムは、処理回路部を含み、前記処理回路部は、
　番組ガイド表示画面の１以上のメディアグループオプションを表示のために生成することであって、前記番組ガイド表示画面の前記１以上のメディアグループオプションを表示のために生成することは、前記１以上のメディアグループオプションを含む前記番組ガイド表示画面をユーザ機器の表示デバイス上に表示するための前記ユーザからの第１の入力に応答して行なわれ、前記１以上のメディアグループオプションは、前記メディアの内容を示すことなく、前記メディアのタイトルを示すことなく、前記メディアの源を示すことなく、前記ユーザにとって利用可能なメディアを示し、前記１以上のメディアグループオプションの中の１つのグループオプションに関連付けられている１つのグループの中にメディアを含める基準は、
ユーザによって定義されたサーチクエリと、前記ユーザによって定義されたサーチクエリの結果が表示される１つ以上のグループのユーザ選択とに基づいて
　選択されたメディアグループオプションに関連付けられた複数のメディアインジケータを表示のために生成することであって、前記選択されたメディアグループオプションに関連付けられた前記複数のメディアインジケータを表示のために生成することは、前記１以上のメディアグループオプションから１つのグループオプションを選択するための前記ユーザからの第２の入力に応答して行なわれ、前記複数のメディアインジケータは、スケジュールされた時間に利用可能なメディアのための第１のメディアインジケータと、スケジュールされた時間なしで利用可能なメディアのための第２のメディアインジケータとを含む、ことと、
　前記複数のメディアインジケータから１つのメディアインジケータの選択を受信したことに応答して、前記選択されたメディアインジケータに関連付けられたアクションを実行することと
　を行うように構成されている、システム。
　【請求項７】
　前記選択されたメディアグループオプションは、現在利用可能なメディアに関連付けられている、請求項６に記載のシステム。
　【請求項８】
　前記１以上のメディアグループオプションは、ユーザによって定義される、請求項６に記載のシステム。
　【請求項９】
　前記処理回路部は、メディアグループオプションに関連付けられたメディアサブグループオプションを表示のために生成するようにさらに構成されており、前記複数のメディアインジケータのうちの少なくとも１つは、前記メディアサブグループオプションに関連付けられている、請求項６に記載のシステム。
　【請求項１０】
　前記処理回路部は、前記メディアサブグループオプションに関連付けられたメディアインジケータの数を示すようにさらに構成されている、請求項９に記載のシステム。